(57)【特許請求の範囲】
【請求項１】
夫々は先部にアンテナ取付部を備えると共に元部に支持杆取付部を備えている複数のアームと、それらのアームの支持杆取付部と支持杆を結合する為の結合具とから成るアンテナ支持具において、上記結合具は、支持杆に対する連結部を有する本体と、夫々上記本体から側方に延び、各々は上記支持杆取付部を乗せる為の受面を備えている複数の受部材とから成り、上記各アームの支持杆取付部には、下側に突出する横止片と、その横止片の下部から上記支持杆取付部において上記受面に乗せる為の乗載面と対向する側に向けて突出する下止片とを備えさせ、上記受部材には、上記受面に上記乗載面を乗せた状態において、上記横止片と対峙して支持杆取付部の横ずれを阻止する為の横位置規制部と、上記下止片と対峙して支持杆取付部の浮き上がりを阻止する為の浮上規制部を備えさせて、上記受面に上記乗載面を乗せると共に、上記横止片及び下止片を夫々下側から目視可能な状態で上記横位置規制部及び浮上規制部と夫々対峙させることにより、支持杆取付部が受部材に仮止めされるようにしたことを特徴とするアンテナ支持具。
【発明の詳細な説明】
【０００１】
【発明の属する技術分野】
本発明は複数のアンテナを支持する為のアンテナ支持具に関する。
【０００２】
【従来の技術】
夫々先部にアンテナ取付部を備えている２本のアームは、その元部に支柱に対する添え片を備えている。各アームの添え片を支柱の一方側と他方側とに夫々沿わせる。そして一方の添え片、支柱、他方の添え片の順にボルトを差し通し、ナットで締め付けることにより、２本のアームを支柱に固定するようにしている（例えば実開昭５２−１６６４３８号公報参照）。
【０００３】
このようなものは、二つのアンテナを設置しようとする場合、アンテナ支持用の上記２本のアームを支柱の両側に対称的に取り付けることが出来るので、それらの先部に取り付けるアンテナ相互の位置関係が一定に定まる特長がある。
【０００４】
【発明が解決しようとする課題】
しかしこの従来のアンテナ支持具では、上記取り付け作業の場合、上記２本のアームを夫々手で持ち、夫々のアームにおける添え片を支柱の両側に沿わせる。そしてその状態を保持したまま、上記ボルトを差し通してナット締めを行わねばならぬ。これらの作業を一人で行うことは困難で、複数人の作業員を必要とする問題点があった。又上記アームの保持の為に作業員に不安定な姿勢を強いる為、特に高所での取り付け作業の場合には非常に危険であるという問題点があった。
【０００５】
本願発明のアンテナ支持具は上記従来技術の問題点を解決する為に提供するものである。
本願発明の目的は、アンテナ支持用の複数のアームを備えていて、複数のアンテナを所定の位置関係に設置することが出来るアンテナ支持具を提供することである。
他の目的は、上記複数のアームの取り付け作業を一人の作業員で行うことを可能に出来るようにすることである。
他の目的は、複数のアームの夫々について個別に仮止めが出来るようにすることによって、高所での取り付け作業であってもそれを安全に行い得るようにすることである。
他の目的は、複数のアームを夫々受部材に取り付ける場合、受部材が頭上の位置にあっても、仮止め用の手段を下から目で見ながらアームを操作することが出来て、容易に上記仮止め状態を達成できるようにすることである。
他の目的及び利点は図面及びそれに関連した以下の説明により容易に明らかになるであろう。
【０００６】
【課題を解決するための手段】
上記目的を達成する為に、本願発明におけるアンテナ支持具は、夫々は先部にアンテナ取付部を備えると共に元部に支持杆取付部を備えている複数のアームと、それらのアームの支持杆取付部と支持杆を結合する為の結合具とから成るアンテナ支持具において、上記結合具は、支持杆に対する連結部を有する本体と、夫々上記本体から側方に延び、各々は上記支持杆取付部を乗せる為の受面を備えている複数の受部材とから成り、上記各アームの支持杆取付部には、下側に突出する横止片と、その横止片の下部から上記支持杆取付部において上記受面に乗せる為の乗載面と対向する側に向けて突出する下止片とを備えさせ、上記受部材には、上記受面に上記乗載面を乗せた状態において、上記横止片と対峙して支持杆取付部の横ずれを阻止する為の横位置規制部と、上記下止片と対峙して支持杆取付部の浮き上がりを阻止する為の浮上規制部を備えさせて、上記受面に上記乗載面を乗せると共に、上記横止片及び下止片を夫々下側から目視可能な状態で上記横位置規制部及び浮上規制部と夫々対峙させることにより、支持杆取付部が受部材に仮止めされるようにしたたものである。
【０００７】
【発明の実施の形態】
以下本願発明の実施の形態を示す図面について説明する。アンテナの設置状態を示す図１において、Ａは支持杆で、アンテナを支持する為のベースとなる部材であり、支柱（マストとも呼ばれる）を例示する。Ｂは複数のアンテナを所定の位置関係に支持する為のアンテナ支持具、Ｃは上記支持具Ｂによって支持されたアンテナを夫々示す。支持杆Ａは、アンテナの設置状態において人の頭が支持具ＢやアンテナＣに当ったりすることがないように出来る高さが選ばれ、例えば１．８ｍ或いはそれ以上の高さであったり、ビルの側壁１ａから側方に突出するアームであったりする。１はアンテナの設置場所として例示する建物の屋上の床面、２はそこに備えた基礎で、コンクリート製の台を示す。３は支柱Ａの下端に備えたベース、４はベース３を上記台２に取付ける為のボルトを示す。
【０００８】
次にアンテナ支持具Ｂは、その流通過程や設置の為の運搬時の嵩張りを小さくする為に、相互に別体となった複数のアームＢ１と結合具Ｂ２とにより構成している。複数のアームＢ１は夫々アンテナＣを相互に離間させた状態で支える為のもので、その離間の為の長さ例えば６０ｃｍを有するものであり、結合具Ｂ２はそれらのアームＢ１を支柱Ａに結合させる為のものである。各アームＢ１におけるＢ１１はアンテナの取付を行う為のアンテナ取付部を示し、Ｂ１２は支持杆に対する取付を行う為の支持杆取付部を示す。これらは上記のようにアンテナＣを相互に離間させる為に、アームＢ１の一方の端部と他方の端部に夫々設けている。支持杆取付部Ｂ１２はアームＢ１の支持の根本側となる為、後者の端部を元部とも呼び、前者の端部を先部とも呼ぶ。上記アームＢ１は軽量化及びアンテナＣの重量に耐える為に例えばアルミのパイプで形成している。Ｂ２１は結合具Ｂ２におけるベースとなる本体、Ｂ２２は各アームＢ１の支持杆取付部Ｂ１２を取り付ける為の受部材を夫々示す。受部材Ｂ２２はアームＢ１を横臥状態に支持できるようにする為に本体Ｂ２１から側方に延びる状態に設けている。符号Ｂ２２’が本体Ｂ２１に対する受部材Ｂ２２の付け根を示す。又受部材Ｂ２２は、複数（この例では四つ）のアームＢ１を相互に等角度間隔（この例では９０゜）の位置関係で固定する為に、四つの受部材Ｂ２２を相互に等角度間隔（この例では９０゜）の位置関係で備えさせている。これら本体Ｂ２１及び受部材Ｂ２２は、製造の手間数を少なくする為に例えばアルミダイカストで一体に形成した例を示すが、別体に形成し、後の工程で一体化しても良い。
【０００９】
上記本体Ｂ２１について図２に基づき説明する。６は支持杆Ａに対するしっかりとした固定を行う為の連結部で、例えばパラボラアンテナの支持具において周知の支柱取付部の構造を例示する。即ち、７は支柱の差込孔、８は差込孔の周壁の一部に穿設したねじ孔、９はねじ孔８に螺合させた固定用のボルトである。１０は避雷針の取付のためのねじ孔、１１は避雷針の不使用時に上記ねじ孔１０を塞いでおくための栓である。図３における１２は、アームＢ１における支持杆取付部Ｂ１２を位置決する為の受止面を示し、アームＢ１の端面の受止の為に上記付け根Ｂ２２’から後述の受面１６とは交差する状態（例えば垂直）に立ち上がる面に形成している。
【００１０】
上記受部材Ｂ２２について図３に基づき説明する。１６はアームＢ１の支持杆取付部Ｂ１２をその取付の為に乗せる受面で、アームＢ１をぐらつくことなく固定できるようにする為に平坦面に形成している。１７はアームを固着する為のねじ孔を示す。１８は支持杆取付部Ｂ１２における後述の横止片２８ａと対峙して支持杆取付部Ｂ１２の横ずれを阻止する為の横位置規制部で、受部材Ｂ２２の左右の側面をもって形成している。１８ａは横位置規制部１８の先端部における案内面を示し、横止片を横位置規制部１８と対峙する位置にスムーズに導くために斜面（例えば円弧面）に形成している。１９は支持杆取付部Ｂ１２における後述の下止片２８ｂと対峙して支持杆取付部Ｂ１２の浮き上がりを規制する為の浮上規制部で、受部材Ｂ２２の下面をもって形成した例を示す。２０は受部材Ｂ２２の補強部材を示す。
【００１１】
上記アームＢ１における支持杆取付部Ｂ１２について図３に基づき説明する。２４は受部材Ｂ２２の受面１６に乗せることによりその受面１６と重合状態となる乗載面を示し、受面１６に対応した面であるところの平坦面に形成している。２５は支持杆取付部Ｂ１２におけるアームＢ１の元部側の端面を示す。２７はボルト貫通用の透孔、２９は支持杆取付部Ｂ１２を受部材Ｂ２２に固定するためのボルトを夫々示す。端面２５と透孔２７との間隔は、後述の如き位置決のときに透孔２７とねじ孔１７とがぴったりと重合状態となるようにする為に、受止面１２とねじ孔１７との間隔と一致させてある。２８は受部材Ｂ２２に対する支持杆取付部Ｂ１２の仮止めを行う為の仮止部材を示し、横止片２８ａと下止片２８ｂとから成る。これらは下側からの目視が容易なよう、図示の如く横止片２８ａは下方に向けて突出する状態に設け、下止片２８ｂはその横止片２８ａの下部から乗載面２４と対向する側に向けて側方に突出する状態に設けている。上記仮止部材２８はアームＢ１と一体に形成した例を示す。上記仮止部材２８は後述のように受部材Ｂ２２に対する支持杆取付部Ｂ１２の位置決手段及びガイド手段としての機能も備えている。
【００１２】
図４乃至図６に示す３１はボルト２９の締付力によって支持杆取付部Ｂ１２が潰れることを防止する為のスペーサで、支持杆取付部Ｂ１２の内部においてその上壁Ｂ１２ａと下壁Ｂ１２ｂとの間に介在させている。該スペーサ３１は硬質の合成樹脂製である。該スペーサ３１は上壁Ｂ１２ａと下壁Ｂ１２ｂとの間のつっかい棒として作用し、ボルト２９によって受部材Ｂ２２に支持杆取付部Ｂ１２を固定する場合に、上壁Ｂ１２ａ、スペーサ３１、下壁Ｂ１２ｂを一つの剛体として機能させる。従ってボルト２９を締めてもそのボルト頭２９ａによって支持杆取付部Ｂ１２の上壁Ｂ１２ａが潰されることはない。又ボルト２９の締付力を、支持杆取付部Ｂ１２を受部材Ｂ２２に固定する目的に充分に機能させることが出来る。尚３２はボルト２９の軸部２９ｂを貫通させる為の透孔である。３３はボルト２９がアームＢ１の透孔２７から抜け落ちることを防止する為の手段を示し、この例では、透孔３２の内周面がボルト２９の軸部２９ｂにおけるねじ山の先端に圧接することによってボルト２９の抜け落ちを防止するようにしている。３４はスペーサ３１の弾性変形、即ち上記内周面３３をボルト２９に圧接させる為の弾性変形を容易化する為に設けたスリットを示す。
【００１３】
上記支持杆取付部Ｂ１２は、アンテナの設置現場での作業を容易化する為に、メーカーでの製造の際に次のような状態まで組み立てておかれる。即ち、図６の状態からスペーサ３１をアームＢ１の内部に押し込む。ボルト２９は、その軸部２９ｂを上壁Ｂ１２ａの透孔２７を通して透孔３２内に圧入し、軸部２９ｂが下壁Ｂ１２ｂの透孔２７から突出せぬ位置まで差し込んでおかれる。
【００１４】
図１に示す３８はアンテナ取付部Ｂ１１に備えたアンテナ取付具である。次にアンテナＣは、例えば携帯電話用の電波の送受信を行うためのアンテナを示す。重量は例えば１ｋｇ程度である。該アンテナＣとしてはその他に、無線通信用、アマチュア無線用のアンテナなどがある。３９は信号伝送用のケーブルである。
【００１５】
次にアンテナ設置場所１でのアンテナＣの設置を説明する。設置場所１には予め台２が用意されている。アンテナの設置に当たっては、先ずそこに支柱Ａを固定する。固定状態は略鉛直である。次に結合具Ｂ２をその支柱Ａの先端に図２の如く取付ける。このとき支柱Ａを中心に結合具Ｂ２を回して、その受部材Ｂ２２が適正な方向に来るようにする。又この状態では受面１６は略水平となる。次に各アンテナＣに夫々ケーブル３９を接続し、それらのアンテナＣを各アームＢ１のアンテナ取付部Ｂ１１に夫々アンテナ取付具３８でもって取付ける。
【００１６】
次に上記結合具Ｂ２に対して、上記の各アームＢ１を夫々取付ける。その取付は以下の通りである。一つのアームＢ１を手に持ち、それにおける仮止部材２８の内側に受部材Ｂ２２の先端部が入り込むよう、乗載面２４の先端部２４ａを受部材Ｂ２２における受面１６の先端部１６ａに乗せる。この場合、斜面となった案内面１８ａがあるのでその操作は容易である。又仮止部材２８は支持杆取付部Ｂ１２の下側に備わっているので、受部材Ｂ２２の位置が高くて頭上にあっても、仮止部材２８内に上記先端部が入り込む状態を下から見ながら行うことが出来、従ってその操作は容易である。上記のように先端部１６ａの上に先端部２４ａが乗ったならば、支持杆取付部Ｂ１２を受面１６に沿って本体Ｂ２１に向けて移動させる。この場合、受面１６をガイド面としてその上に沿って乗載面２４を滑らせれば良い。又仮止部材２８の横止片２８ａ及び下止片２８ｂは夫々ガイド部材となって横位置規制部１８及び浮上規制部１９に沿って進む。従って上記支持杆取付部Ｂ１２の移動操作は容易である。上記移動は端面２５が受止面１２に当接する位置まで行う。
【００１７】
上記のような操作により、横止片２８ａは横位置規制部１８と、又下止片２８ｂは浮上規制部１９と夫々対峙し、アームＢ１の支持杆取付部Ｂ１２は受部材Ｂ２２に対して仮止め状態となる。即ちアームＢ１を外から支える必要なく結合具Ｂ２に対するアームＢ１の結合状態を一時的に維持できる状態が達成される。又上記支持杆取付部Ｂ１２の移動操作が完了した状態では、受止面１２と端面２５、及び横位置規制部１８と横止片２８ａが夫々位置決手段として機能して、受部材Ｂ２２に対し支持杆取付部Ｂ１２は所定の位置決状態となり、透孔２７がねじ孔１７に対して丁度重合する位置関係となる。
【００１８】
上記の状態となったならば、次に受部材Ｂ２２に対し支持杆取付部Ｂ１２の本固定を行う。例えばボルト２９によって受部材Ｂ２２に対する支持杆取付部Ｂ１２の固定を行う。この場合、上記のように位置決がなされている為、ボルト２９の軸部２９ｂをスムーズにねじ孔１７に進入させることが出来る。又上記のようにアームＢ１の仮止めがなされている為、アームＢ１を手で支える必要が無い。従って作業者は、片手で支柱Ａにつかまるなどして自身の身体を支え、他方の手で上記ボルト２９の操作を行えば良く、作業を安全に行うことが出来る。
【００１９】
上記のような作業を複数のアームＢ１について全て行う。それが済んだならば図１に示されるようにバインド部材４１でもってケーブル３９を周知の如く固定することにより、アンテナＣの設置作業が完了する。
【００２０】
次に実施形態の異なる例を説明する。上記各アームＢ１の固定用のボルト２９は１本でも良い。その場合には、該ボルト２９によって支持杆取付部Ｂ１２を受部材Ｂ２２に固定した状態では、仮止部材２８が受部材Ｂ２２に対するアームＢ１の固定部材の一つとして機能する。即ちボルト２９は受部材Ｂ２２から支持杆取付部Ｂ１２が離反することを阻止し、仮止部材２８はボルト２９を中心とするアームＢ１の回転を阻止する。
【００２１】
次に図７はアームＢ１ｅ及び仮止部材２８ｅの夫々の形成を容易化する為に、それらを別部材で形成し、後の工程で仮止部材２８ｅを支持杆取付部Ｂ１２ｅに対してその下側に突出する状態に備えさせるようにする例を示すものである。図において仮止部材２８ｅはアームに対する連結部４３を備えた別の部材４２として形成している。連結部４３はアームＢ１ｅの上側及び両横側を包囲する形状に形成し、該連結部４３をアームＢ１ｅに止め付ける為の透孔４４及び透孔２７ｅと重合するボルト挿通用の透孔４５を形成具備させる。上記のような部材４２は、例えば金属板をプレス成形して形成したり、プラスチック材料を型成形することによって形成する。上記部材４２は図に２点鎖線で示すようにアームＢ１ｅにおける支持杆取付部Ｂ１２ｅを包み込むように被せ付け、止具として例示する小ねじ４６でもってアームＢ１ｅに止め付ける。なお、機能上前図のものと同一又は均等の構成で説明が重複すると考えられる部分には、前図と同一の符号にアルファベットのｅを付して重複する説明を省略した。（また次図のものにおいても順次同様の考えでアルファベットのｆ，ｇを付して重複する説明を省略する。）
【００２２】
次に図８は、仮止部材２８ｆを備えるアームＢ１ｆを低廉に提供できるようにすることを目的とするものである。図において、仮止部材２８ｆは受部材Ｂ２２ｆの左右に位置するものが一つに繋がった状態に形成しており、上部にはアームＢ１ｆに対する連結部４３ｆを備える。そしてその連結部４３ｆを小ねじ４６ｆでもってアームＢ１ｆに止め付けている。このような構成のものは、アームＢ１ｆが単純な杆体で良いのでそれに要する費用が安く、又仮止部材２８ｆも小片でよいのでそれに要する費用が安く、従ってアームＢ１ｆを非常に低廉化することが出来る。尚上記仮止部材２８ｆは金属板をプレスして形成したり、プラスチック材料を成形することによって形成する。仮止部材２８ｆは一つのみを備えさせても良い。又受部材Ｂ２２ｆにおける補強部材２０ｆは仮止部材２８ｆとの干渉を防ぐ為に図示の如き形状に形成すると良い。
【００２３】
次に図９の（Ａ）及び（Ｂ）はアームＢ１ｇに対する仮止部材２８ｇの止付手段の異なる例を示すものである。（Ａ）は仮止部材２８ｇが簡単にアームＢ１ｇに取り付くようにする為に、仮止部材２８ｇに嵌合片４７を備えさせ、アームＢ１ｇには上記嵌合片４７を嵌め込む為の嵌合孔４８を備えさせた例を示す。又（Ｂ）は仮止部材２８ｇを簡単にアームＢ１ｇに取り付けた後、その仮止部材２８ｇがアームＢ１ｇから脱落し難くする為に、嵌合片４７の先に係止爪４９を備えさせた例を示す。この例では、嵌合片４７を嵌合孔４８に嵌合させると係止爪４９が嵌合孔４８の縁に引っかかり、嵌合片４７が嵌合孔４８から外れ難くなる。
【００２４】
【発明の効果】
以上のように本願発明にあっては、複数のアンテナＣを設置する場合、アンテナ支持用の複数のアームＢ１における各支持杆取付部Ｂ１２を、結合具Ｂ２に備わっている複数の受部材Ｂ２２に夫々取付けることによって、それらのアームＢ１が一定の位置関係で配列され、それらのアームＢ１に夫々取付けるアンテナＣを所定の位置関係に配列できる特長がある。
しかも上記複数のアームＢ１の取付の場合、各アームＢ１は夫々の元部の支持杆取付部Ｂ１２を結合具Ｂ２における受部材Ｂ２２に夫々個別に取り付ければよいので、一つずつ取付を行いうる特長がある。このことは、上記取り付け作業を一人の作業員で行うことを可能に出来る効果がある。
しかも上記アームＢ１の取付の場合、受面１６に乗載面２４を乗せ、支持杆取付部Ｂ１２における横止片２８ａ及び下止片２８ｂを受部材Ｂ２２における横位置規制部１８及び浮上規制部１９と夫々対峙させることにより、支持杆取付部Ｂ１２を受部材Ｂ２２に仮止め出来る特長がある。このことは、受部材Ｂ２２に対してアームＢ１の支持杆取付部Ｂ１２を本固定する場合、アームＢ１を別途支えたりする必要がないので、たとえ高所での取付であっても、その作業を安全に行うことを可能に出来る効果がある。
その上上記のようにアームＢ１の支持杆取付部Ｂ１２を受部材Ｂ２２に仮止め状態にする作業の場合、上記横止片２８ａ及び下止片２８ｂは支持杆取付部Ｂ１２の下側に備えているので、受部材Ｂ２２が頭上の位置にあっても、それら仮止め用の横止片２８ａ及び下止片２８ｂを下から目で見ながらアームＢ１を操作することが出来て、容易な作業でもって上記仮止め状態を達成できる作業上の効果がある。
【図面の簡単な説明】
【図１】アンテナの設置状態を示す斜視図。
【図２】支柱に対する連結部を示す縦断面図。
【図３】受部材と支持杆取付部とを示す斜視図。
【図４】受部材に対する支持杆取付部の仮止め状態を示す縦断面図。
【図５】受部材に対し支持杆取付部を取り付けた状態における固定用ボルトの位置での縦断面図。
【図６】支持杆取付部の分解斜視図。
【図７】異なる実施形態を示す分解斜視図。
【図８】更に異なる実施形態を示す図３と同様の図。
【図９】（Ａ）、（Ｂ）は仮止部材の異なる実施形態を示す斜視図。
【符号の説明】
Ｂ１  アーム
Ｂ１１  アンテナ取付部
Ｂ１２  支持杆取付部
Ｂ２  結合具
Ｂ２１  本体
Ｂ２２  受部材
１６  受面
１８  横位置規制部
１９  浮上規制部
２８ａ  横止片
２８ｂ  下止片
【図１】
0003604217.tif 000002
【図２】
0003604217.tif 000003
【図３】
0003604217.tif 000004
【図４】
0003604217.tif 000005
【図５】
0003604217.tif 000006
【図６】
0003604217.tif 000007
【図７】
0003604217.tif 000008
【図８】
0003604217.tif 000009
【図９】
0003604217.tif 000010